(57)【特許請求の範囲】
【請求項１】
電波、音波、光波を搬送媒体に用いて信号を伝送するために、ロック機構を設ける特定ロック装置の解錠操作部に初期操作して、ロック装置からトリガー信号を送り、正当な操作者が保持する手許器を起動させて、保有の識別信号を送信し、それを特定ロック装置側が受信して、該装置側の登録信号と比較、判別し、当該両信号が一致するときに解錠するロック装置の遠隔操作制御方法において、
ロック装置１と手許器２とにそれぞれ主電源回路４、１１と補助電源回路９、９´とを配設し、まず解錠操作部を初期操作してロック装置１の補助電源回路９を閉路し、直接または中継器２１を介して、ロック装置１が該補助電源回路９からのバックアップを受けてトリガー信号ｅを発生して送信操作し、それを受信した手許器２は、併設する補助電源回路９´を介して付設する主電源回路１１をＯＮ作動させて、内部に保存、登録する識別信号ａをロック装置１に送信して受信させ、該識別信号ａがロック装置側登録信号ｂと一致する場合に、同装置内の受信信号制御手段３が一致信号ｃを出力して、主電源回路４のＯＮ作動によってロック機構７を駆動可能にするとともに、ロック装置１を含む駆動装置３０全体の駆動操作の信号制御を統括する主信号制御手段５に一致信号ｃを出力し、それを受けた主信号制御手段５が駆動装置３０に負荷制御信号ｄを出力してロック機構７の駆動装置３０を駆動し、ロック機構７を解錠する解錠制御を行うことを特徴とするロック装置の遠隔操作制御方法。
【請求項２】
電波、音波、光波を搬送媒体に用いて信号を伝送するために、ＯＮ／ＯＦＦスイッチまたはデジタルセンサを付設する解錠操作部を初期操作して、ロック機構を設ける特定ロック装置からトリガー信号を送信し、正当な操作者が保持する手許器を起動させて、手許器保有の識別信号を送信し、それをロック機構を設ける特定ロック装置側が受信して、該装置側の登録信号と比較、判別し、当該両信号が一致するときに解錠するロック装置の遠隔操作制御装置において、
ロック装置１には、受信信号制御手段３と、駆動装置３０を制御する主信号制御手段５と、ＯＮ／ＯＦＦスイッチ１６回路と連係して前記両信号制御手段に電源を供給する補助電源回路９と、駆動装置３０に電力を供給する主電源回路４とを配設し、受信信号制御手段３には、トリガー信号ｅを発信するとともに手許器２の識別信号ａを受信する送受信部２７と、識別信号とロック装置側の登録信号とを比較、判別する信号判別部１５と、解錠操作部のＯＮ／ＯＦＦスイッチ１６のＯＮ作動によって、トリガー信号ｅを出力、発信可能とするための制御回路，メモリ、ＣＰＵを含む信号管理部１０とを設け、
手許器２には、送受信部２７´と、トリガー信号ｅを判別する信号判別部１５と、制御回路１２，信号出力部１３、メモリ１４及びＣＰＵ２５を含む信号管理部１０´とクロック回路２６´と、内蔵電源４０と、補助電源回路９´とトリガー信号ｅの受信によりＯＮ作動する電源回路１１とを配設し、
前記解錠操作部を、ドアを含む開閉部材の把手３１、機械装置の操作具に付設するハンドルまたはグリップ３２、足踏み具３３あるいはロック装置１に向かう周辺通路上に設ける特設部材３５に選択的に付設し、
解錠操作部の初期操作によりロック装置からトリガー信号ｅを発生させ、それを受信する手許器２の主電源回路１１をＯＮ作動させ、登録、保存した手許器２の識別信号ａを発信可能にして、ロック装置１と手許器２との信号操作を信号管理可能に構成することを特徴とするロック装置の遠隔操作制御装置。
【発明の詳細な説明】
【０００１】
【産業上の利用分野】
本発明は、識別信号を送信してロック装置の施解錠操作を行う制御技術に係わり、特に信号の搬送媒体を選択的に使用すると共に、電力消費を抑制し、識別信号の判別処理と解錠操作を極短時間で行うことによって、操作時の制御操作感を感じさせない節電形解錠技術に関する。
【０００２】
【従来の技術】
従来から空中線を介しまたは超音波やビーム光等を用いて送出した制御信号を受信させて、ドアの施解錠を行うキーレスシステムがあり、建物ドア用のもの（特開平６−１２９１４５号公報）、自動車ドアのドアロック用のもの（特開昭６１−７５１８１号公報、特開昭６２−１２９４７９号公報、特開平１−５３６９７号公報）が提案されている。
【０００３】
以上の技術においては、１）ロック装置側は、専ら携帯者側からの識別信号の受け手である、２）電波、超音波、光などの単一の信号搬送媒体を用いる、３）ロック装置、携帯者が身に付けて識別信号を発信する装置（以下、手許器という）がともに常時、電源がＯＮ状態である、４）内蔵する使用電源を長持ちさせるために間欠的にＯＮ状態にする、あるいは充電装置を常備する（特開平６−９２２８１号公報）、などが特徴となっている。
【０００４】
【発明が解決しようとする課題】
しかし実質的に必要な電力消費はロック装置の施解錠時の極く短い操作時間だけである。その実質必要時間に比べ待機中の未使用時間は数十倍以上も長く、間欠的に電源を使用しても不要な電力消費が継続し、特に手許器の内蔵電池の交換時期は早く起こる。従って電池消耗によって解錠出来ない不都合も起こり得る。一方、電力補充操作を的確な時期に行うのは実際問題として困難である。加えて手許器側からの一方向の信号発信操作ではロック装置側からの働き掛け機能はなく、施錠管理が単純であり、混信や不正信号受信による解錠の恐れが存在する。
【０００５】
本発明は、特に手許器の主電力消費は必要時のみに起こるようにし、一方のロック装置の主電力消費も使用時以外には生じないようにした節電形解錠技術を開発し、ロック装置側からの問い合わせ機能を持つことが出来る、手許器とロック装置の双方向信号交換が可能であって、チェック機能を向上させた、ロック装置の遠隔操作制御方法とその装置を提供することを目的とするものである。
【０００６】
【課題を解決するための手段】
本発明に係るロック装置の遠隔操作制御方法は、電波、音波等を搬送媒体に用いて信号を伝送するために、ロック機構を設ける特定ロック装置の解錠操作部に初期操作して、ロック装置からトリガー信号を送り、正当な操作者が保持する手許器を起動させて、保有の識別信号を送信し、それを特定ロック装置側が受信して、該装置側の登録信号と比較、判別し、当該両信号が一致するときに解錠するロック装置の遠隔操作制御方法において、
ロック装置と手許器とにそれぞれ主電源回路と補助電源回路とを配設し、まず解錠操作部を初期操作してロック装置の補助電源回路を閉路し、直接または中継器を介して、ロック装置が補助電源回路からのバックアップを受けてトリガー信号を発生して送信操作し、それを受信した手許器は、併設する補助電源回路を介して付設する主電源回路をＯＮ作動させて、内部に保存、登録する識別信号をロック装置に送信して受信させ、該識別信号がロック装置側登録信号と一致する場合に、同装置内の受信信号制御手段が一致信号を出力して、主電源回路のＯＮ作動によってロック機構を駆動可能にするとともに、ロック装置を含む駆動装置全体の駆動操作の信号制御を統括する主信号制御手段に一致信号を出力し、それを受けた主信号制御手段が駆動装置に負荷制御信号を出力してロック機構の駆動装置を駆動し、ロック機構を解錠する解錠制御を行うことを特徴とするものである。
【００１２】
そして本発明のロック装置の遠隔操作制御装置は、電波、音波、光波を搬送媒体に用いて信号を伝送するために、ＯＮ／ＯＦＦスイッチまたはデジタルセンサを付設する解錠操作部を初期操作して、ロック機構を設ける特定ロック装置からトリガー信号を送信し、正当な操作者が保持する手許器を起動させて、手許器保有の識別信号を送信し、それをロック機構を設ける特定ロック装置側が受信して、該装置側の登録信号と比較、判別し、当該両信号が一致するときに解錠するロック装置の遠隔操作制御装置において、
ロック装置には、受信信号制御手段と、駆動装置を制御する主信号制御手段と、ＯＮ／ＯＦＦスイッチ回路と連係して両信号制御手段に電源を供給する補助電源回路と、駆動装置に電力を供給する主電源回路とを配設し、受信信号制御手段には、トリガー信号ｅを発信するとともに手許器の手許器の識別信号を受信する送受信部と、識別信号とロック装置側の登録信号とを比較、判別する信号判別部と、解錠操作部のＯＮ／ＯＦＦスイッチのＯＮ作動によって、トリガー信号を出力、発信可能とするための制御回路，メモリ、ＣＰＵを含む信号管理部とを設け、
手許器には、送受信部と、トリガー信号を判別する信号判別部と、制御回路，信号出力部、メモリ及びＣＰＵを含む信号管理部とクロック回路と、内蔵電源と、補助電源回路とトリガー信号の受信によりＯＮ作動する電源回路とを配設し、解錠操作部を、ドアを含む開閉部材の把手、機械装置の操作具に付設するハンドルまたはグリップ、足踏み具あるいはロック装置に向かう周辺通路上に設ける特設部材に選択的に付設し、解錠操作部の初期操作によりロック装置からトリガー信号を発生させ、それを受信する手許器の主電源回路をＯＮ作動させ、登録、保存した手許器の識別信号を発信可能にして、ロック装置と手許器との信号操作を信号管理可能に構成することを特徴とするものである。
【００１４】
【作用】
主電源回路がＯＦＦ状態にある時、手許器と施錠状態のロック装置に対して、手許器携帯者、ロック装置側操作者が、当該ロック装置の適宜位置に設定した初期操作部位に接触して、あるいは非接触でも該ロック装置の通信可能範囲内に近接して、始めてＯＮ作動する位置に付設したスイッチ、またはデジタルセンサを作動させることによって、ロック装置側の補助電源回路を閉路して、トリガー信号を発信させる。該トリガー信号を受信した手許器は、その主電源回路を閉路して、特定の識別信号を発信する。ロック装置によって受信された識別信号は、ロック装置に登録、記憶されている識別信号との判別、判定処理が行われ、その結果をまってロック装置の解錠操作が行われる。
【００１５】
【実施例】
以下、本発明に係るロック装置の遠隔操作制御方法を図によって説明する。図１は、本発明方法の手許器とロック装置間との会話手段を説明するもので、（Ａ）は双方向電波方式を示す概念図、（Ｂ）は双方向音波方式を示す概念図、（Ｃ）は一方向照射光他方向電波方式を示す概念図、（Ｄ）は一方向音波他方向電波方式を示す概念図、（Ｅ）一方向照射光他方向音波方式を示す概念図、（Ｆ）は中継器を介した一方向照射光他方向電波方式を示す概念図である。図２は、本発明方法の基本概念とその構成を説明するもので、（Ａ）は基本概念を示すブロック図、（Ｂ）は第１基本概念を示すブロック図、（Ｃ）は第２基本概念を示すブロック概念図、図３は、同じく手許器とロック装置の信号の流れを示すブロック図、図４は、同じくその解錠操作を示すフローチャート、図５は、本発明方法によるＯＮ／ＯＦＦスイッチの動作を説明するもので、（Ａ）は第１動作前後を示す概念図、（Ｂ）は第２動作前後を示す概念図、（Ｃ）は第３動作前後を示す概念図、（Ｄ）はそれら動作のタイムチャートである。なお、図３に示す丸数字（例、▲１▼、▲１０▼、‥）は、操作流れの順序を、模式的に説明する符号である。
【００１６】
図１に示すように、本発明方法を実施するためのロック装置１と手許器２とが通信する一対の信号搬送媒体６は、１実施例においては同図（Ａ）に示すように送受信器２７を使用して媒介するアナログ波を含む電波６ａ、同図（Ｂ）に示すスピーカー／マイク２８を組んで媒介する超音波を含む音波６ｂであり、あるいはここに図示しないレーザー光を含む照射光などの単一媒体を用いて、後に詳述するように、一方からトリガー信号を送り、他方から識別信号を送る交信を行う。前記トリガー信号は、他の実施例における場合と同様に相手に同期させる機能によって識別作用を示し、同系装置確認の識別手段となっている。
【００１７】
他の実施例では、搬送媒体６に用いるトリガー信号用と識別信号用とを別種の信号搬送媒体６で使い分ける。同図（Ｃ）に示すように、トリガー信号をロック装置１に付設する照射器２９ａによって照射光６ｃを介して手許器２に設けた受光器２９ｂに受光させ、手許器２からの識別信号は送信器２７ａから電波６ａ、例えばデジタル波を介してロック装置１の受信器２７ｂへ受信させる。同様に同図（Ｄ）に示すように、トリガー信号を特定の音波６ｂによって、例えばＢＧＭにのせてスピーカー２８ａから流し、手許器２のマイク２８ｂに受けさせ、識別信号は電波６ａを介して送受信する。同様に同図（Ｅ）に示すように、ロック装置１からのトリガー信号は音波６ｂを介して送り、識別信号は手許器２に付設した照射器２９ａから照射光６ｃを照射してロック装置１の受光器２９ｂに受信させる。なおここに図示しない信号搬送媒体６ａないし６ｃの組み合わせは、ロック装置１の環境に対応させる。例えば、強電磁場が存在したり、ノイズ発生の多い場所のロック装置１用には電波６ａ以外の信号搬送媒体を選定、使用する。
【００１８】
別の実施例では、図１（Ｆ）に示すように、トリガー信号を中継器２１を介して照射光６ｃを照射し、識別信号ａを電波６ａに搬送して送信する。なおここに図示しないが識別信号ａも動揺に中継器２１を介して送信するようにしても良い。
これら図示例のように信号搬送媒体６を、直接送信するよりも中継操作が望ましい場合には、中継器２１を介在させる。
【００１９】
図２に示すように、本発明のロック装置の遠隔操作制御方法の基本操作概念は、ロック装置１を解錠しようとする操作者が同図（Ａ）に示すように、（１）例えば手動操作で、あるいはタッチセンサに触れる、または所定位置に近付いたときに近接センサを反応させるなどの、ロック装置１に何等かの第１操作を加え、ロック装置１側に設けた操作初期接触部位８に付設する初動スイッチまたはデジタルセンサを作動させる、（２）その結果、ロック装置１の送信部からトリガー信号を送信して手許器２の受信部に受信させ、その受信によって、手許器２の主電源をＯＮ作動させ、（３）手許器２の送信部から識別信号を送信する。そして同図（Ｂ）、（Ｃ）に示す（４）ロック装置１の受信部は、その受信信号を判別して、正当な信号であれば解錠指示を出力し解錠のための駆動装置を作動して解錠を終了する、ものである。ここに図中の（１）ないし（４）は工程の時間順序、２７′は送受信部を示す。なお以下に示す手許器２は、後に図３に示すトリガー信号及び識別信号を介してロック装置１と正当に一対一で対応するものを、単に手許器という。またトリガー信号ｅは、単に手許器２の主電源切り替え機能だけを持たせた信号であっても、特定符号を登録信号化したものであっても良い。同図（Ｂ）に示すように、ロック装置１の操作初期接触部位８、例えば把手にに接触式初動用スイッチを付設して、前記把手に手を触れることが初動接触操作となるように設計すれば、極く自然に解錠操作制御が行えるようになる。
同図（Ｃ）には、ロック装置１の前方に非接触方式のデジタルセンサ、例えば近接スイッチを設置して、手許器２を装着した車を通過させて信号の送受操作を行い、その進行方向前方のオートドア式車庫のゲートのロック装置１を解錠する操作制御方法を示している。
【００２０】
図３に示すように、本発明の操作制御方法は初期接触部位８に働きかける手動操作を端緒に、ロック装置１と手許器２の相互間とロック装置１内部において数種の信号送受を自動的に行うと共に、図４に示すように操作制御を進行させる。以下、本発明方法を図３と図４によって詳述すれば、ロック装置１への前記手動操作、例えば開きドアの把手に手を掛けることで（Ｓ１）、ＯＮ／ＯＦＦスイッチ１６をＯＮ作動し（Ｓ２）、ＯＦＦ状態にあった補助電源回路９をＯＮ状態にする（Ｓ３）。ＯＮ／ＯＦＦスイッチ１６回路は、ここに図示しない例えばリードリレーを介して受信信号制御手段３と主信号制御手段５とを接続する補助電源回路９と連係する。
なお図５に示すように、本発明に好適なスイッチの１実施例としての、初期接触部位８に設ける接触式のＯＮ／ＯＦＦスイッチ１６には、ＯＮ接点保持回路を設けて、同図（Ｄ）に示すようにＯＮ−ＯＦＦ状態を適宜時間得るようにする。該ＯＮ接点保持回路は、例えば解錠操作を行う場合、同図（Ａ）に示すように第１動作で、操作後の一定時間はＯＮ作動させ、該操作終了後は自動復帰させてＯＦＦ状態に設定する。しかし例えば車のエンジンに設けたロック装置１に対しては、第１動作に引き続いて同図（Ｂ）に示すように第２動作を操作して、ＯＮ状態継続の設定をすると共に、前記スイッチ１６の形態を変化させ、同図（Ｃ）に示す第３動作を行ったときに当初の状態に形態復帰、かつＯＦＦ状態を得て、前記第１動作の操作前状態に戻るようにする。この形式のＯＮ／ＯＦＦスイッチ１６の構成によって、機械装置のロック操作とその起動操作が同時に行える。
さて、ロック装置１の受信信号信号制御手段３は、手許器２への信号送受を行う送受信部２７系統と必要に応じてタイミングを取るためのクロック回路系統、送信と受信の操作および信号判別を制御する系統を統括、操作して、トリガー信号ｅの出力と送信、登録信号ｂの記憶と、受信した識別信号ａとの比較、判別を行うようになっている。主信号制御手段５は、ロック装置１の施解錠を行うロック機構７の駆動系に係わる信号を制御する。そして補助電源回路９のＯＮ動作によって、主信号制御手段５と受信信号制御手段３がＯＮ状態になる（Ｓ４およびＳ５）。
【００２１】
ロック装置１側では、受信信号制御手段３がＯＮ状態になると、その送受信部２７系はトリガー信号ｅを送信する（Ｓ６）。手許器２は、そのトリガー信号ｅを受信して（Ｓ７）、それが同期すればその主電源回路１１をＯＮ作動し、その作動により、手許器２は識別信号ａを発信する（Ｓ８）。手許器２には送受信部２７′系の送受信タイミング里のクロック回路と同回路系用の補助電源回路９′を付設する。その上に主電源回路１１には、手許器２携帯者報知用の警報ブザー２２′、確認表示灯２３′、振動器２４′など１種以上を備えた報知系統を接続する。
【００２２】
ロック装置１の受信信号制御手段３は、トリガー信号ｅ発信の一定時間以内に識別信号ａの受信を確認し（Ｓ９）、受信がないと補助電源回路９をＯＦＦ（Ｓ１０）、受信信号制御手段をＯＦＦ作動して（Ｓ１１）、操作を終了する。
受信があると、識別信号ａとメモリから読み出した登録信号ｂとを比較、判別して（Ｓ１２）、ａ≠ｂでは前記ステージＳ１０ないしＳ１１を経て操作を終了する。ａ＝ｂのときは受信信号制御手段３は一致信号ｃを出力して（Ｓ１３）、駆動装置系主電源回路４をＯＮ作動する（Ｓ１４）と共に、主信号制御手段５へ伝送する。一致信号ｃを受けて主信号制御手段５は、初期接触部位８のロック機構７の解錠に係る負荷制御信号ｄを出力し（Ｓ１５）、その出力によって起動する当該駆動装置を動作してロック機構７を解錠操作する（Ｓ１６）。上記操作は初期段階から終期段階にかけて極短時間内に、例えば前記したドアの把手を開き勝手に動かす手操作中に終了し（Ｓ１７）、施錠していても、始めから解錠してあるかのように開きドアの開放操作は終る。
【００２３】
次に、本発明方法による施錠操作を図３と図６によって説明する。図６は、本発明方法による施錠操作を説明するフローチャートである。
施錠スタート段階で解錠中のロック装置１に対して、その施錠のために閉扉手操作を行う（２０）。そしてロック装置１が施錠操作可能の正常位置にあるかどうか、そしてロック機構７周辺に設けた１以上のセンサ２０がＯＮ動作して出力するセンサ信号ｆによって確認する（Ｓ２１）。図３に示すように、ロック装置１においては、補助電源回路９は、駆動系に係る主信号制御手段５からの出力信号を介して駆動装置系主電源回路４に、負荷制御信号ｄによってロック装置の駆動装置３０にそれぞれ連係し、また別記する図７に示すように、警報部２２ないし２４の制御操作を行う受信信号制御手段３にも連係している。
センサ２０が所定時間ＯＮ状態にない（信号ｆの出力がない）と、ロック装置１および／または手許器２  に確認警報がＯＮ作動して、断続的にあるいは連続してブザー２２、２２´を鳴奏、表示灯２３、２３´の点灯、振動器２４、２４´を振動などが選択的に動作する（Ｓ２２）。ロック装置１側の操作者はロック装置１側を、手許器２携帯者は手許器２を手操作して、疑似確認信号ｇ´を出力し（Ｓ２３）、その出力により前記確認警報をＯＦＦにする（Ｓ２４）、そして閉扉操作をやり直す（Ｓ２０）。
【００２４】
センサ信号ｆが出力すると（Ｓ２５）、主信号制御手段５が、複数所定位置からのセンサ信号ｆを統括、整理して（Ｓ２６）、伝送されたセンサ信号ｆの全データが予め設定した施錠条件を満足するかを確認する（Ｓ２７）。ここに施錠条件には、設定センサ信号ｆ１ないしｆｎの全てを信号Ｆとして設けた場合もあれば、例えば前記した例のドアウインド開度が全閉でなくとも許可する、条件付けた信号の集合Ｆ´によって条件付けて判別する場合もある。前記施錠条件を満足すれば、主信号制御手段５は確認信号ｇを出力し、（Ｓ２８）、その確認信号ｇの出力によってセンサ信号ｆ出力に係る負荷制御信号ｄを出力して（Ｓ２９）、当該ロック機構７の施錠操作を行い（Ｓ３０）、施錠を終了する（Ｓ３１）。
【００２５】
次に本発明に係るロック装置の遠隔操作制御装置を図によって説明する。図７は、本発明装置の構成を説明するもので、（Ａ）は第１実施例を示すブロック図、（Ｂ）は第２実施例の要部を示す部分ブロック図である。
第１実施例に示すものは、当初から全ての電源をＯＦＦ状態可能で操作する本発明のロック装置１の構成であり、第２実施例にはロック装置１に微弱電力消費回路用電源４１を内設して、該電源以外を常時ＯＦＦ状態にして操作する本発明装置の構成を示している。なお前記両実施例において、前記した各信号を介してロック装置１と一対を成す手許器２の構成は同じである。
【００２６】
図７（Ａ）に示すように、手許器２には、信号管理部１０′に接続して、内蔵電源４０と結ぶトリガー信号判別部１５′と送受信部２７′と、警報部２２′ないし２４′とを内設すると共に、補助電源回路９′に接続するクロック回路２６′と、スイッチング回路１８′を介して補助電源回路９′と内蔵電源４０に接続し、信号管理部１０′以下に電力供給する主電源回路１１とを構成する
。信号管埋部１０′は、送受信部２７′が送信する信号６を取り出すメモリ１４と、メモリ１４からの読み出し操作を行うＣＰＵ２５と受信と送信のタイミングを制御する制御回路１２と信号出力部１３とから成る。なお、ＣＰＵ２５とメモリ１４には、信号処理や警報操作用のプログラムの他、ロック装置１に従属して連係する処理プログラムが通常技術によって操作可能になっている。
【００２７】
ロック装置１は、補助電源回路９に接続する受信信号制御手段３および主信号制御手段５と、スイッチング（リレー）回路１８を介して主信号制御手段５に連係してロック装置の駆動装置３０に接続する駆動装置系主電源回路４と、駆動装置３０によって施解錠操作を受ける各ロック機構（ｎ１、ｎ２、‥）７と、ロック機構７の施錠正常状態検知用センサ２０とを設けると共に、操作初期接触部位８にＯＮ接点保持回路１９を有するＯＮ／ＯＦＦスイッチ１６を付設して、該スイッチのＯＮ動作に連動してリレー作動するリードスイッチ１７を備えた補助電源回路９と連係するように構成している。なお、図中、二点鎖線で囲うものはロック機構７周辺に構成するもの、実線は初動操作で作動する系統、点線は信号出力の流れを、二重実線は信号出力によって動作する系統を、それぞれ示している。
ロック装置１の受信信号制御手段３は、送受信部２７と、手許器２と同様に構成する信号管理部１０と、信号管埋部１０から出力する信号の比較判別を行う識別信号信号判別部１５と、同じく出力信号を受けて作動し、手許器２と同構成の前記した警報部２２ないし２４から成る。該警報部の内、確認表示灯２３は、操作初期接触部位８に付設して、解錠動作中を示す点滅表示兼用に設けても良い。
【００２８】
同図（Ｂ）に示すように第２実施例は、前記第１実施例に示した受信信号制御手段３の構成にクロック回路２６とクロック回路用電源４１を前記信号管理部１０に付加した以外は同じ構成である。なお、操作初期接触部位８に付設するＯＮ／ＯＦＦスイッチ１６に代えるセンサ２０′は近接スイッチ、光変換スイッチを含むデジタルセンサである。
【００２９】
次に、具体的実施例に付いてその構成を説明する。図８は、本発明装置をドアに用いた実施例を説明するもので、（Ａ）は開きドアの要部を示す部分正面図、（Ｂ）は（Ａ）のＡ−Ａ′矢視図、（Ｃ）は片引きドアの要部を示す部分正面図、図９は、同じく機械操作用の別の実施例の要部を説明するもので、（Ａ）はハンドルグリップの要部を示す部分側面図、（Ｂ）は足踏み具の要部を示す部分側面図、図１０は、同じくその他の実施例を説明するもので、（Ａ）は通路特設部材の要部を示す部分側面図、（Ｂ）は非接触形初動操作装置の例を示す部分側面図である。
図８（Ａ）、（Ｂ）に示すように開きドア３５に用いた実施例では、ドア板の外側に付けた開閉部材の把手３１を操作初期に接触する部位８とし、その背面の内側にＯＮ／ＯＦＦスイッチ１６を設ける。該スイッチは２つの突起を形成して設けたスイッチ収納側接点４２に接続する。ドア枠の内部には、施錠時に例えばその内部に納めた電磁ソレノイドをアクチュエータとする駆動装置３０によって前記ドアの把手３１方向にロック機構７を押し出し、その図示右側端面上下にロック機構７側の接点４２′を形成した上で、接点４２′が接点４２に当接して係合したときに、ロック機構７内に設けたＯＮ／ＯＦＦスイッチ１６と成す回路の一部を形成するようになっている。ロック機構７の隣接位置上下には施錠位置の正常状態検知センサ２０と送受信部２７が、その後部には前記したロック装置１のその他の主要構成部材を設備する。このように構成したドア３５は、ここに図示しない手許器２携帯者が近付いてＰ方向へ押し勝手にドア３５を明けようとすると前記スイッチ１６がＯＮ作動して、前記解錠操作が進むようになっている。なお左右方向に示す太線矢印はドア開閉方向を示す。
【００３０】
同図（Ｃ）に示すものは、片引き戸形オートドア３６の把手３１背面に内蔵電池４０と共に付設したデジタルセンサ２０′の作動によって、ドア３６に当接する壁面内に設けた近接スイッチ１６′をＯＮ作動させるものである。一方、ドア３６上部框に当接する壁部内に付設したロック機構７、駆動装置３０が、ここに図示しないロック機構７を該上部框内部に設けて、相手側ロック機構と着脱可能に対応させ、手許器２が存在するときドア３６を施解錠可能になっている。
なお太線矢印はドア３６の開き方向を示す。またロック装置１の他の構成は前記開きドアの構成と同じである。
図８には、１の手許器２に対しロック装置１の受信信号制御手段３、主信号制御手段５などを一対一に対応するように図示したが、多くのドア３５がある場合に、それらを統括する主信号制御手段５と駆動装置系主電源回路４とを１組として集中的に信号管理を行い、個別の解錠操作に対応させることも可能である。なお、ロック機構７の具体的構成は、その他の従来技術を適宜活用して構成する。
【００３１】
図９に示すものは、車や一般機械の操作用ロック装置に設けた実施例を示し、同図（Ａ）に示すものは、ハンドルグリップ３２の初期接触部位にタッチセンサなどのデジタルセンサ２０′または近接スイッチ１６′を内設し、手許器２携帯者の解錠操作に対応している。
同図（Ｂ）に示すものは、車のフット操作具や一般装置の足踏み具３３を初期操作部位８としたもので、その背面部にＯＮ／ＯＦＦスイッチ１６を付設する。なお、太線矢印は操作方向である。
【００３２】
図１０に示すものは、ロック装置１の設置場所より離れた位置に初期操作部位８を設ける場合の実施例を示す。
同図（Ａ）に示すものは、ロック装置１を設備したオートドア３６の周辺通路前方の床面に床用センサ２０′を組み込んだマットを敷き、その下部に初期操作部位８となる特設部材３４を付設、かつ室内に該特設部材３４に対応して接続した受信信号制御手段３以下のロック装置１構成部分を収納、設備して、手許器２携帯者が床マットを踏む場合に前記解錠操作可能に構成している。
【００３３】
また同図（Ｂ）に示すものは、手許器２を装着して通過する車３７などの移動機械のみに対し自動的に解錠許可するようにした、ロック装置１を設備するゲートまたはシャッターに係る実施例である。
この実施例では、シャッター用オートドア３６前方通路に立設した特設部材３４を初期操作部位８として、屋外用デジタルセンサ２０′を設備する。デジタルセンサ２０′に併設して照射器２９ａを設けて、オートドア３６上方に付設する受光器２９ｂと対応させる。受光器２９ｂは信号を含む照射光の受光があった場合に、ロック装置１にその信号内容を伝送して、前記例同様に解錠操作するようになっている。ここに、３６′はオートドア駆動装置である。なお、乗員が手許器２を携帯して解錠操作する場合には、外部との信号の送受信が的確に操作できる増幅機構を手許器２に適宜に付加する。
【００３４】
次に本発明装置の動作につき、主に図３と各実施例を示す図８ないし図１０により説明する。
図８（Ａ）、（Ｂ）に示す例では、手許器２の携帯者が、対応するロック装置１を装備して施錠している開きドア３５の把手３１を押すと、ＯＮ／ＯＦＦスイッチ１６がＯＮ作動し、ドア３５の周壁部に設けた送受信部２７からトリガー信号ｅを送信する。手許器２は、主電源回路１１をＯＮ作動して識別信号ａを送信、それを受信したロック装置１はその判別処理を行い、それが正当な場合に、ロック機構７のアクチュエータ３０が作動し、ロック機構７を左側に移動して解錠操作を終了する。
施錠の際に開放したドア３５が、改めてドア枠に復帰すると、センサ２０がＯＮ作動して施錠正常状態検知センサｆを出力し、施錠可能時には、確認信号ｇ、負荷制御信号ｄが続いて出力して、ロック機構７の駆動装置３０を作動させ、施錠を完了する。なお、ロック装置１側にいる操作者によって内側からＯＮ／ＯＦＦスイッチ１６をＯＮ作動して、操作者携帯の手許器２によって特定者のために解錠操作することもできる。
【００３５】
一方、同図（Ｃ）に示す場合では、オートドア３６の把手３１に付設したデジタルセンサ２０′がＯＮ作動した場合に、近接スイッチ１６′が作動し、順次、ドア外枠内に設けたリードリレーが作動し、以下前記した一連の電源回路をＯＮ作動させて的確な信号交換を発生させ、当該の駆動操作３０を起動して解錠操作を終わる。またドアがオートドア３６である場合には、解錠操作が終了した時点でオートドア駆動装置３６′をドア開放方向に自動操作可能にして、オートドア３６を開放させる。
【００３６】
車に適用した場合は、車３７に手許器２を装着して、あるいは手許器２携帯者が乗車する車３７が、オートドア３６を設備した車庫前方に立設した特設部材３４に近接すると、ロック装置１のデジタルセンサ部材２０´がＯＮ作動する。その結果、特設部材３４から車庫側の受光器２９ｂへ照射光６ｃを投射して、ロック装置１のＯＮ／ＯＦＦスイッチ１６をＯＮ作動する。その結果、トリガー信号ｅを車庫側から送信、それを受信した手許器２が、前記実施例と同様に識別信号ａを送信して、ロック装置１の解錠操作を進行して、操作終了と同時にオートドア３６はドアの自動開放を行う。この場合、解錠操作とオートドア開放操作との所要時間が車３７の進入時間と適応する位置に特設部材３４を設けているので、始めから解錠してあるオートドア設置の車庫へ入るように、進入動作を行える。
【００３７】
【発明の効果】
本発明によるロック装置の解錠制御方法とその装置に係る離隔交信式の操作制御技術は、携帯する手許器と施錠するロック装置の間に、設置環境に対応して選定した搬送媒体を介して信号を伝達可能にすると共に、信号交換によって使用時のみ主電源回路をＯＮ動作処理したので、１）施錠中のロック装置側からの呼び掛けに反応しない相手には、解錠しない。２）無関係な信号が混信してもロック装置は反応しない。３）トリガー信号と識別信号は、二重ロック効果を発揮する。４）家具・什器備品の引き出し、扉や部屋や家の出入口のためのロック装置に対しては、人の腕の長さ距離を交信できる程度の微弱な信号の搬送エネルギーによって解錠が可能である。５）信号の搬送エネルギーの放射時間が極短時間で、微弱なので人体やその種のエネルギーに敏感な周囲環境に影響を与えない。６）開扉操作時間内に解錠操作が終了するので、わざわざ行う実質的な解錠操作感がない。７）クロック回路用消費電力を除き、手許器の実質的な電池消耗は、解錠時のみに消費する実効時間中だけに生ずる。８）信号の二重ロック機能やあるいは加えるＣＰＵに付与する信号に係わる通常技術によるプログラム処理を行うことによって、備品や装置に付設するロック装置を一般的と特殊用などの複数種別をした使用者限定が容易に行える。９）中継器を用いることによって、極近距離離隔操作と遠隔操作とをシーケンス的に混合して、あるいは外からは遠隔式で、内からは離隔式にと個別に行う効果を持つ。１０）複数のロック装置に複数の手許器を設ける場合には、管理者が通常のプログラム管理を行うことによって、防犯および保管管理を容易にできる効果がある、など上記した顕著な効果によって、その産業上の利用効果は大きい。
【図面の簡単な説明】
【図１】  本発明のロック装置の遠隔操作制御方法の手許器とロック装置間の会話手段を説明するもので、（Ａ）は双方向電波方式を示す概念図、（Ｂ）は双方向音波方式を示す概念図、（Ｃ）は一方向照射光、他方向電波方式を示す概念図、（Ｄ）は一方向音波、他方向電波方式を示す概念図、（Ｅ）は一方向照射光、他方向音波方式を示す概念図、（Ｆ）は中継器を介した一方向照射光、他方向電波方式を示す概念図である。
【図２】  本発明方法の基本操作概念とその構成を説明するもので、（Ａ）は操作と装置間関係の基本概念を示すブロック図、（Ｂ）は第１基本構成を示すブロック図、（Ｃ）は第２基本構成を示すブロック図である。
【図３】  本発明方法による手許器とロック装置の信号の流れを示すブロック図である。
【図４】  本発明方法による解錠操作を示すフローチャートである。
【図５】  本発明方法に好適なＯＮ／ＯＦＦスイッチ実施例の動作を説明するもので、（Ａ）は第１動作前後を示す側面図、（Ｂ）は第２動作前後を示す側面図、（Ｃ）は第３動作前後を示す側面図、（Ｄ）はそれら動作のタイムチャートである。
【図６】  本発明方法による施錠操作を説明するフローチャートである。
【図７】  本発明装置の構成を説明するもので、（Ａ）は第１実施例を示すブロック図、（Ｂ）は第２実施例の要部を示す部分ブロック図である。
【図８】  本発明装置をドアに用いた実施例を説明するもので、（Ａ）は開きドアの要部を示す部分正面図、（Ｂ）は（Ａ）のＡ−Ａ′矢視図、（Ｃ）は片引きドアの要部を示す部分正面図である。
【図９】  本発明装置の機械操作用の別の実施例の要部を説明するもので、（Ａ）はハンドルグリップの要部を示す部分側面図、（Ｂ）は足踏み具の要部を示す部分側面図である。
【図１０】  本発明装置のその他の実施例を説明するもので、（Ａ）は通路特設部材の要部を示す部分側面図、（Ｂ）は非接触形初動操作装置の例を示す部分側面図である。
【符号の説明】
１            ロック装置
２            手許器
３            受信信号制御手段
４            駆動装置系主電源回路
５            主信号制御手段
６            搬送媒体
７            ロック機構
８            操作初期に接触する部位
９、９′      補助電源回路
１０、１０′    信号管理部
１１            手許器の主電源回路
１２            制御回路
１３            信号出力部
１４            メモリ
１５、１５′    信号判別部
１６            ＯＮ／ＯＦＦスイッチ
１６′          近接スイッチ
１７            リードスイッチ（リードリレー）
１８            スイッチング（リレー）回路
１９            ＯＮ接点保持回路
２０            センサ（正常位置状態検出用）
２０′          デジタルセンサ（ＯＮ／ＯＦＦスイッチ代替用）
２１            中継器
２２、２２′    警報ブザー
２３、２３′    確認表示灯
２４、２４′    振動器
２５            ＣＰＵ
２６、２６′    クロック回路
２７、２７′    送受信器または送受信部
２７ａ          送信器または送信部
２７ｂ          受信器または受信部
２８            スピーカーとマイク
２８ａ          スピーカー
２８ｂ          マイク
２９            照射器と受光器
２９ａ          照射器
２９ｂ          受光器
３０            駆動装置
３１            開閉部材の把手
３２            機械操作具のハンドルまたはグリップ
３３            機械操作具の足踏み具
３４            通路に設ける特設部材
３５            ドア
３６            オートドア
３６′          オートドア駆動装置
３７            車
４０            電源または内蔵電池
４１            クロック回銘用電源
４２            接点
ａ            識別信号
ｂ            登録信号
ｃ            一致信号
ｄ            負荷制御信号
ｅ            トリガー信号
ｆ            センサ信号
Ｆ            全センサ信号
Ｆ′          選択したセンサ信号
ｇ            確認信号
ｇ′          疑似確認信号
【図１】
0004328871.tif 000002
【図２】
0004328871.tif 000003
【図３】
0004328871.tif 000004
【図４】
0004328871.tif 000005
【図５】
0004328871.tif 000006
【図６】
0004328871.tif 000007
【図７】
0004328871.tif 000008
【図８】
0004328871.tif 000009
【図９】
0004328871.tif 000010
【図１０】
0004328871.tif 000011